(57)【要約】      （修正有）【課題】  像担持体の表面に筋状傷が発生するのを防止するとともに、像担持体と接触部材との不要な摺擦を回避し、像担持体の表面や接触部材の表面に摺擦傷が発生するのを抑制する。【解決手段】  移動機構５３は、モータ７２でカム６６、６８を回転し、支持部材５４、５６を上下方向に移動させることで、帯電ロール１４を感光体ドラム１２に接触又は離間させ、位置変更機構４３は、モータ５２でピニオン５０を回転し、ラック４６Ａを介して支持部材４４を矢印Ｄ方向に移動させることで、感光体ドラム１２を軸方向に移動させる。そして、移動機構５３によって帯電ロール１４及び転写ロール２０を感光体ドラム１２から離間させ、位置変更機構４３によって感光体ドラム１２を軸方向に移動させてクリーニングブレード３２との接触位置を変える。これにより、クリーニングブレード３２のトナー付着物による筋状傷が低減させる。【選択図】  図２
2006267952.tif 000002
【特許請求の範囲】
【請求項１】
トナー像が担持される像担持体と、前記像担持体に接触又は転写材を介して接触しながら周回移動する接触部材と、前記トナー像を転写した後の前記像担持体を清掃するクリーニングブレードと、を有する画像形成装置であって、
前記像担持体を像進行方向と直交する方向に移動させて前記クリーニングブレードとの接触位置を変更する位置変更手段と、
前記接触部材を前記像担持体に接触又は離間させる移動手段と、を有し、
前記像担持体の位置変更動作時に、前記接触部材を前記像担持体から離間させることを特徴とする画像形成装置。
【請求項２】
前記移動手段によって前記接触部材を前記像担持体に接触させるときに、前記像担持体と前記接触部材との相対速度を一致させる制御手段を有することを特徴とする請求項１に記載の画像形成装置。
【請求項３】
前記像担持体と前記接触部材の移動速度が、前記接触部材の接触状態及び離間状態のいずれにおいてもほぼ同一であることを特徴とする請求項２に記載の画像形成装置。
【請求項４】
前記接触部材は、前記像担持体の駆動時の摩擦力によって従動するものであり、
前記制御手段は、前記接触部材を前記像担持体に接触させるときに、前記像担持体の駆動を停止させることを特徴とする請求項２に記載の画像形成装置。
【請求項５】
前記接触部材が、前記像担持体を帯電させる帯電ロール又は帯電ベルトであることを特徴とする請求項１から請求項４までのいずれか１項に記載の画像形成装置。
【請求項６】
前記接触部材が、前記像担持体上に形成されたトナー像を転写材に転写させる転写ロール又は転写ベルトであることを特徴とする請求項１から請求項４までのいずれか１項に記載の画像形成装置。
【請求項７】
前記像担持体が円筒もしくは円柱状の感光体ドラムであることを特徴とする請求項１から請求項６までのいずれか１項に記載の画像形成装置。
【請求項８】
前記像担持体が円筒もしくは円柱状の中間転写ドラムであることを特徴とする請求項１から請求項６までのいずれか１項に記載の画像形成装置。
【発明の詳細な説明】
【技術分野】
【０００１】
本発明は、像担持体と、像担持体を帯電させる帯電ロールと、転写後に像担持体の表面を清掃するクリーニングブレードなどを備え、像担持体を像進行方向と直交する方向に移動させてクリーニングブレードとの接触位置を変化させる画像形成装置に関する。
【背景技術】
【０００２】
一般に電子写真方式を採用した複写機、プリンタ等の画像形成装置では、感光体などの像担持体の表面を接触帯電ローラにより帯電し、像担持体に像光を照射して静電潜像を形成し、この静電潜像をトナーで現像してトナー像を形成する。像担持体上のトナー像は記録媒体又は中間転写体に転写され、転写後の像担持体の表面はクリーニングブレードによって清掃される。
【０００３】
このような画像形成装置では、クリーニングブレードが像担持体の軸方向に対して常に同じ位置で接触していると、クリーニングブレードの先端に生じた転写残トナーなどの付着物が像担持体の同一周面と接触し続けるため、像担持体に周方向の筋状の傷が生じやすい。
【０００４】
このような不具合の対策として、例えば、クリーニングブレードの先端の付着物を取り除くために、クリーニングブレードへ衝撃を付与する手法、圧電素子などの加振装置によってクリーニングブレードの先端部以外に加振を加える手法、像担持体の正回転停止後に一定量の逆回転動作を行う手法、所定枚数毎に像担持体を一時停止して像担持体とクリーニングブレードとのニップ形状を変形させる手法などが行われている。
【０００５】
しかし、クリーニングブレードに衝撃を付与する手法では衝撃音が発生し、加振させる手法では加振装置の信頼性などに問題がある。また、逆回転動作やニップ形状を変形させる手法では、クリーニングブレードの変形などによって効果の持続性が低下するという問題が懸念される。
【０００６】
また、クリーニング部材を像担持体の軸方向に摺動させる駆動機構を設け、クリーニング部材を像担持体の軸方向に往復動させることによりクリーニング性能を向上する画像形成装置が提案されている（例えば特許文献１を参照）。
【特許文献１】特開平２０００−３５６９３５号公報
【発明の開示】
【発明が解決しようとする課題】
【０００７】
しかし、特許文献１の構成では、クリーニング部材を像担持体の軸方向に摺動させるための駆動機構が複雑化し、信頼性の低下が懸念される。また、クリーニング部材の摺動によって、径時でのクリーニング部材のへたり（永久変形）などが発生し、これに起因して像担持体への当接角が変化するという問題がある。
【０００８】
一方、クリーニングブレードを移動させずに、像担持体を軸方向に移動させる構成も考えられるが、像担持体に接触帯電部材が接触している場合、像担持体と接触帯電部材との摺擦により像担持体表面や接触帯電部材の表面に微小な摺擦傷が発生するという問題がある。このような摺擦傷が発生すると、そこにトナー外添剤などの微粒子が進入し、摺擦傷を起点としたフィルミングが発生するという問題がある。また、このような問題は、接触帯電部材に限らず、像担持体に接触又は転写材を介して接触する転写ローラなどのすべての接触部材に対しても発生する。さらに、像担持体が中間転写体である場合でも、トナー像の転写後に中間転写体表面を清掃するクリーニング部材が中間転写体に接触しているため、上記と同様の問題が発生する。
【０００９】
本発明は、上記問題点に鑑みてなされたものであり、像担持体とクリーニング部材との間の付着物による像担持体表面の筋状傷の発生を低減すると共に、像担持体と接触部材との摺擦による微小な摺擦傷の発生を低減できる画像形成装置を提供することを目的とする。
【課題を解決するための手段】
【００１０】
上記問題点を解決するために、請求項１に記載の発明に係る画像形成装置は、トナー像が担持される像担持体と、前記像担持体に接触又は転写材を介して接触しながら周回移動する接触部材と、前記トナー像を転写した後の前記像担持体を清掃するクリーニングブレードと、を有する画像形成装置であって、前記像担持体を像進行方向と直交する方向に移動させて前記クリーニングブレードとの接触位置を変更する位置変更手段と、前記接触部材を前記像担持体に接触又は離間させる移動手段と、を有し、前記像担持体の位置変更動作時に、前記接触部材を前記像担持体から離間させることを特徴としている。
【００１１】
ここで、転写材には、記録媒体の他、中間転写ベルトなども含まれる。
【００１２】
請求項１に記載の発明によれば、位置変更手段によって像担持体を像進行方向と直交する方向に移動させてクリーニングブレードとの接触位置を変えるので、クリーニングブレードの先端の付着物が像担持体に同一周面で接触し続けることがなく、像担持体表面に周方向の筋状傷が発生するのが低減される。また、像担持体の位置変更動作時に、移動手段によって接触部材が像担持体から離間されるので、接触部材が像担持体と摺擦することがなく、像担持体の表面や接触部材の表面に摺擦傷が発生するのが抑制される。
【００１３】
請求項２に記載の発明に係る画像形成装置は、請求項１に記載の画像形成装置において、前記移動手段によって前記接触部材を前記像担持体に接触させるときに、前記像担持体と前記接触部材との相対速度を一致させる制御手段を有することを特徴としている。
【００１４】
請求項２に記載の発明によれば、像担持体から離間している接触部材を像担持体に接触させるときに、像担持体と接触部材とに速度差を設けない。このため、像担持体への接触時に、接触部材が像担持体と摺擦することがなく、像担持体の表面や接触部材の表面に摺擦傷が発生するのがより一層低減される。
【００１５】
請求項３に記載の発明に係る画像形成装置は、請求項２に記載の画像形成装置において、前記像担持体と前記接触部材の移動速度が、前記接触部材の接触状態及び離間状態のいずれにおいてもほぼ同一であることを特徴としている。
【００１６】
請求項３に記載の発明によれば、像担持体と接触部材の移動速度が、接触部材の接触状態及び離間状態のいずれにおいてもほぼ同一であり、例えば、像担持体と接触部材に駆動装置を個別に備える方式又はギアにより駆動力が個別に伝達される方式においても両者をほぼ同一の移動速度で駆動させる。このため、像担持体と接触部材の駆動制御を複雑化することなく、接触部材と像担持体との摺擦を低減することが可能となる。
【００１７】
請求項４に記載の発明に係る画像形成装置は、請求項２に記載の画像形成装置において、前記接触部材は、前記像担持体の駆動時の摩擦力によって従動するものであり、前記制御手段は、前記接触部材を前記像担持体に接触させるときに、前記像担持体の駆動を停止させることを特徴としている。
【００１８】
請求項４に記載の発明によれば、接触部材は、像担持体の駆動時の摩擦力によって従動するものであり、接触部材を像担持体に接触させる時に、制御手段によって像担持体の駆動を停止させる。これにより、従動部材である接触部材が停止状態の像担持体に接触するため、接触部材と像担持体との摺擦を低減することが可能となる。
【００１９】
請求項５に記載の発明に係る画像形成装置は、請求項１から請求項４までのいずれか１項に記載の画像形成装置において、前記接触部材が、前記像担持体を帯電させる帯電ロール又は帯電ベルトであることを特徴としている。
【００２０】
請求項５に記載の発明によれば、像担持体を帯電させる帯電ロール又は帯電ベルトが像担持体と接触している場合に、像担持体と帯電ロール又は帯電ベルトとの摺擦を低減することができる。
【００２１】
請求項６に記載の発明に係る画像形成装置は、請求項１から請求項４までのいずれか１項に記載の画像形成装置において、前記接触部材が、前記像担持体上に形成されたトナー像を転写材に転写させる転写ロール又は転写ベルトであることを特徴としている。
【００２２】
請求項６に記載の発明によれば、像担持体上に形成されたトナー像を転写材に転写させる転写ロール又は転写ベルト部材が、転写材を介して像担持体に接触又は像担持体に直接接触する場合でも、転写ロール又は転写ベルト部材と像担持体との摺擦を低減することができる。
【００２３】
請求項７に記載の発明に係る画像形成装置は、請求項１から請求項６までのいずれか１項に記載の画像形成装置において、前記像担持体が円筒もしくは円柱状の感光体ドラムであることを特徴としている。
【００２４】
請求項７に記載の発明によれば、像担持体が円筒もしくは円柱状の感光体ドラムである場合にも接触部材との摺擦を低減することができる。
【００２５】
請求項８に記載の発明に係る画像形成装置は、請求項１から請求項６までのいずれか１項に記載の画像形成装置において、前記像担持体が円筒もしくは円柱状の中間転写ドラムであることを特徴としている。
【００２６】
請求項８に記載の発明によれば、像担持体が円筒もしくは円柱状の中間転写ドラムである場合にも接触部材との摺擦を低減することができる。
【発明の効果】
【００２７】
本発明に係る画像形成装置では、像担持体の表面に筋状傷が発生するのを低減できると共に、像担持体の周囲の接触部材と像担持体との不要な摺擦を回避したため、像担持体の表面や接触部材の表面の摺擦傷の発生を抑制することができる。
【発明を実施するための最良の形態】
【００２８】
以下、本発明に係る画像形成装置の実施形態を図面に基づいて説明する。
【００２９】
図１には本発明の第１実施形態に係る画像形成装置１０が示されている。
【００３０】
この画像形成装置１０は、感光体ドラム１２上に形成されたトナー像が記録用紙Ｐに直接転写される直接転写方式の画像形成装置である。この画像形成装置１０では、矢印方向（像進行方向）に回転する感光体ドラム１２の周囲に、その回転方向上流側から、感光体ドラム１２を帯電させるための帯電ロール１４と、帯電された感光体ドラム１２上にレーザビームを照射して静電潜像を形成する光走査装置１６と、感光体ドラム１２上の静電潜像形成部位にトナーを供給して静電潜像を現像することで感光体ドラム１２上にトナー像を形成させる現像装置１８と、記録用紙Ｐの搬送路を挟んで感光体ドラム１２と対向配置された転写ロール２０とが配置されている。さらに、感光体ドラム１２の回転方向（像進行方向）における転写ロール２０の下流側には、感光体ドラム１２の表面の転写残トナーやかぶりトナーを清掃するクリーニング装置２２が配置されている。
【００３１】
また、感光体ドラム１２と転写ロール２０との対向位置よりも記録用紙Ｐの搬送方向上流側には、駆動ロール２４と従動ロール２６によって張架された搬送ベルト２８が配設されており、搬送ベルト２８によって感光体ドラム１２と転写ロール２０との間に記録用紙Ｐが送り込まれる。また、感光体ドラム１２と転写ロール２０との対向位置よりも記録用紙Ｐの搬送方向下流側には、記録用紙Ｐ上に転写されたトナー像を加熱及び加圧によって定着させる定着装置３０が設けられている。
【００３２】
クリーニング装置２２は、感光体ドラム１２に押圧されるゴム製のクリーニングブレード３２を備えている。このクリーニングブレード３２は、先端部が感光体ドラム１２の回転方向上流側に向くように配置されている。
【００３３】
帯電ロール１４は、感光体ドラム１２と接触する位置でＤＣ電圧が印加されることで、微小ギャップでの放電によって感光体ドラム１２を一様に帯電させるものである。また、転写ロール２０は、トナーの帯電極性と逆極性の転写バイアスが印加されることで、感光体ドラム１２上のトナー像を記録用紙Ｐ上に転写させるものである。
【００３４】
図２に示すように、感光体ドラム１２の軸方向端部（図２中の奥側）には、ギア３６が取り付けられており、このギア３６は、モータ３８に連結されたギア４０と噛み合っている。モータ３８が駆動すると、ギア４０とギア３６を介して感光体ドラム１２に駆動力が伝達され、感光体ドラム１２が図１中に示す矢印方向に回転するようになっている。モータ３８の駆動は、コントローラ４２によって制御されている。
【００３５】
次に、感光体ドラム１２を軸方向（ラテラル方向）に移動させる位置変更機構４３について説明する。
【００３６】
図２に示すように、ギア３６と反対側の感光体ドラム１２の軸方向端部（図２中の手前側）には、感光体ドラム１２の軸１２Ａを回転可能に軸支する支持部材４４が配設されている。支持部材４４は、感光体ドラム１２の軸方向外側に折り曲げられており、その折り曲げられた延設部４６の上部にラック４６Ａが設けられている。また、延設部４６の下部には、延設部４６を感光体ドラム１２の像進行方向と直交する方向（軸方向、又はラテラル方向）に移動可能に支持するレール４８が配設されている。ラック４６Ａはピニオン５０と噛み合っており、ピニオン５０にはモータ５２が連結されている。モータ５２の駆動は、コントローラ４２によって制御されている。
【００３７】
モータ５２が駆動すると、ピニオン５０を介してラック４６Ａに駆動力が伝達され、延設部４６がレール４８に沿って移動することで、感光体ドラム１２が軸方向（ラテラル方向）に移動するようになっている。このとき、クリーニングブレード３２は固定されているので、感光体ドラム１２が軸方向（ラテラル方向）に移動することにより、クリーニングブレード３２と感光体ドラム１２の接触位置が変化する。
【００３８】
次に、帯電ロール１４及び転写ロール２０を感光体ドラム１２に接触又は離間させる移動機構５３について説明する。
【００３９】
図２に示すように、帯電ロール１４の軸１４Ａは、両端部にほぼ平行に配置された支持部材５４、５６に回転可能に軸支されている。軸１４Ａの端部にはモータ６０が連結されており、モータ６０の駆動によって帯電ロール１４が図１中に示す矢印方向に回転するようになっている。また、支持部材５４、５６は、感光体ドラム１２と干渉しない位置で下方側に延設されており、その延設部５４Ａ、５６Ａを上下方向に移動可能に支持するレール６２、６４が配設されている。延設部５４Ａ、５６Ａの下部には、それぞれ楕円状のカム６６、６８が当接されており、カム６６とカム６８はほぼ平行に配置され、シャフト７０で連結されている。カム６８の外側（図２中の奥側）では、シャフト７０にモータ７２が連結されている。モータ７２の駆動はコントローラ４２で制御されている。
【００４０】
また、転写ロール２０の軸２０Ａは、両端部にほぼ平行に配置された支持部材７４、７６に回転可能に軸支されている。支持部材７４、７６は感光体ドラム１２と干渉しない位置で上方側に延設されており、その延設部７４Ａ、７６Ａを上下方向に移動可能に支持するレール７８、８０が配設されている。延設部７４Ａ、７６Ａの上部には、それぞれカム６６、６８が当接されている。
【００４１】
モータ７２が駆動すると、シャフト７０の矢印Ａ方向への回転により、カム６６、６８が回転する。カム６６、６８の回転により、延設部５４Ａ、５６Ａがレール６２、６４に沿って上下方向に移動するとともに、延設部７４Ａ、７６Ａがレール７８、８０に沿って上下方向に移動する。これにより、帯電ロール１４が感光体ドラム１２に接触又は離間するとともに、転写ロール２０が感光体ドラム１２に接触又は離間するようになっている。
【００４２】
次に、この画像形成装置１０の作用について説明する。
【００４３】
まず、画像形成動作の全体を説明し、その後、本実施形態における特有の作用について説明する。
【００４４】
この画像形成装置１０は、画像形成時には、図１及び図３（Ａ）に示すように、感光体ドラム１２に帯電ロール１４が接触している。また、感光体ドラム１２に転写ロール２０が接触しており、感光体ドラム１２と転写ロール２０との間に記録用紙Ｐが送り込まれる。
【００４５】
図１に示すように、感光体ドラム１２が矢印方向に回転すると、まず帯電ロール１４によって感光体ドラム１２の表面がほぼ均一な電位に帯電される。更に感光体ドラム１２が回転すると、感光体ドラム１２の表面が光走査装置１６によって露光され、感光体ドラム１２の露光された部分の電位が低下して静電潜像が形成される。感光体ドラム１２の静電潜像は現像装置１８に搬送され、感光体ドラム１２の帯電極性と同極性に帯電しているトナーが、感光体ドラム１２の電位低下部に電気的に付着して静電潜像が現像される。
【００４６】
その後、感光体ドラム１２が更に回転すると、そのタイミングに合わせて搬送ベルト２８によって転写ロール２０と感光体ドラム１２との間に記録用紙Ｐが搬送され、これと共に転写ロール２０にトナーと逆極性の転写バイアスが印加される。これによって、転写ロール２０にトナーが電気的に引き寄せられ、感光体ドラム１２上のトナー像が記録用紙Ｐへ転写される。記録用紙Ｐに転写されたトナー像は、定着装置３０で加熱及び加圧されて記録用紙Ｐ上に定着される。
【００４７】
また、トナー像の転写後に、感光体ドラム１２の表面はクリーニングブレード３２の接触位置に移動し、表面に残留するトナーなどが除去されてクリーニング装置２２内に回収される。
【００４８】
この画像形成装置１０では、画像形成が所定時間継続された後、感光体ドラム１２を軸方向（ラテラル方向）に移動させる工程に入る。感光体ドラム１２の軸方向の移動は、非画像形成時に実施する。
【００４９】
図２に示すように、コントローラ４２は、モータ７２を駆動し、シャフト７０を矢印Ａ方向に回転してカム６６、６８を回転する。これにより、図３（Ｂ）に示すように、カム６６、６８と当接する延設部５４Ａ、５６Ａがレール６２、６４に沿って上方（図２中の矢印Ｂ方向）に移動し、支持部材５４、５６に支持された帯電ロール１４が感光体ドラム１２から離間される。また、カム６６、６８と当接する延設部７４Ａ、７６Ａがレール７８、８０に沿って下方（図２中の矢印Ｃ方向）に移動し、支持部材７４、７６に支持された転写ロール２０が感光体ドラム１２から離間される。
【００５０】
この状態で、コントローラ４２は、モータ５２を駆動し、ピニオン５０の回転によりラック４６Ａを介して延設部４６を矢印Ｄ方向に移動させる。これにより、支持部材４４に支持された感光体ドラム１２が軸方向（ラテラル方向）に移動し、クリーニング装置２２のクリーニングブレード３２と感光体ドラム１２との接触位置が変化する。このとき、感光体ドラム１２の軸方向（ラテラル方向）への移動量としては、０．５ｍｍ〜３ｍｍ程度が好ましい。
【００５１】
これにより、クリーニングブレード３２の先端に溜まった付着物が感光体ドラム１２に同一周面で接触し続けることが防止され、感光体ドラム１２表面の筋状傷の発生を長期間に渡って低減することができる。また、感光体ドラム１２が軸方向（ラテラル方向）に移動するときに、帯電ロール１４及び転写ロール２０が感光体ドラム１２から離間されるので、帯電ロール１４及び転写ロール２０が感光体ドラム１２と摺擦することがなく、感光体ドラム１２の表面や帯電ロール１４及び転写ロール２０の表面に摺擦傷が発生するのを抑制することができる。感光体ドラムの表面に微小な摺擦傷が形成されると、これを起点としたクリーニング不良によってトナー外添剤のフィルミング（固着）が発生するが、本実施形態の画像形成装置１０では、フィルミングの起点となる摺擦傷の発生を大幅に抑制することができる。
【００５２】
感光体ドラム１２を軸方向（ラテラル方向）に移動させた後、帯電ロール１４及び転写ロール２０を感光体ドラム１２に再び接触させる際は、図２に示すように、コントローラ４２は、モータ７２を駆動し、シャフト７０の回転によりカム６６、６８を回転させる。これにより、図３（Ａ）に示すように、カム６６、６８と当接する延設部５４Ａ、５６Ａがレール６２、６４に沿って下方（図２中の矢印Ｂと反対方向）に移動し、支持部材５４、５６に支持された帯電ロール１４が感光体ドラム１２に接触する。また、カム６６、６８と当接する延設部７４Ａ、７６Ａがレール７８、８０に沿って上方（図２中の矢印Ｃと反対方向）に移動し、支持部材７４、７６に支持された転写ロール２０が感光体ドラム１２に接触する。
【００５３】
このとき、コントローラ４２は、モータ６０とモータ３８を駆動せず、帯電ロール１４と感光体ドラム１２の回転を停止させる。これにより、帯電ロール１４が感光体ドラム１２に接触するときに、両者の摺擦が発生せず、感光体ドラム１２の表面や帯電ロール１４の表面に摺擦傷が発生するのが防止される。また、付着物の付着ムラ（スリップ跡の汚れムラ）などの発生も回避される。
【００５４】
同様に、転写ロール２０が感光体ドラム１２に接触するときに、転写ロール２０と感光体ドラム１２の回転を停止させることで、両者の摺動が発生せず、感光体ドラム１２の表面や転写ロール２０の表面に摺擦傷が発生するのが防止される。また、感光体ドラム１２の付着物の付着ムラ（スリップ跡の汚れムラ）などの発生も回避される。
【００５５】
なお、本実施形態では、帯電ロール１４及び転写ロール２０を感光体ドラム１２に接触させる際に、帯電ロール１４と転写ロール２０と感光体ドラム１２の回転を停止させたが、この構成に限定するものではない。例えば、帯電ロール１４と感光体ドラム１２を同速度で回転させてもよいし、転写ロール２０と感光体ドラム１２を同速度で回転させてもよい。すなわち、帯電ロール１４と感光体ドラム１２の相対移動速度、転写ロール２０と感光体ドラム１２の相対移動速度を一致させることで、両者の摺擦が防止され、感光体ドラム１２の表面や帯電ロール１４及び転写ロール２０の表面に摺擦傷が発生するのを防止することができる。
【００５６】
なお、帯電ロール１４と感光体ドラム１２を離間状態と接触状態とで、同速度で回転するように制御してもよい。これにより、駆動制御が複雑化するのを防止できる。
【００５７】
なお、本実施形態では、帯電ロール１４と感光体ドラム１２が別々に駆動される方式であるが、帯電ロール１４を感光体ドラム１２の駆動に従動させる方式でもよい。この場合、離間された帯電ロール１４を感光体ドラム１２に接触させる際には、感光体ドラム１２の駆動を停止させることで、両者の摺擦を防止できる。
【００５８】
次に、本発明の第２実施形態に係る画像形成装置について説明する。
【００５９】
なお、第１実施形態と同一の部材には同一の符号を付し、重複した説明は省略する。
【００６０】
図４に示すように、この画像形成装置９０では、感光体ドラム１２の周囲に、回転方向上流側から、シアン（Ｃ）、マゼンタ（Ｍ）、イエロー（Ｙ）、ブラック（Ｋ）のトナーをそれぞれ収容する４台の現像装置１８Ｃ、１８Ｍ、１８Ｙ、１８Ｋが配置されている。
【００６１】
感光体ドラム１２と対向する４台の現像装置１８Ｃ、１８Ｍ、１８Ｙ、１８Ｋの下流側には、無端状の中間転写ベルト９２が配置されている。この中間転写ベルト９２は、支持ロール９６Ａと、バックアップロール９６Ｂと、駆動ロール９６Ｃに巻き掛けられている。駆動ロール９６Ｃには図示しないモータが接続されている。駆動ロール９６Ｃが回転すると、駆動ロール９６Ｃの回転駆動が中間転写ベルト９２を介して支持ロール９６Ａと、バックアップロール９６Ｂに伝達され、中間転写ベルト９２が矢印方向に搬送される。
【００６２】
中間転写ベルト９２を挟んで感光体ドラム１２と対向する位置には、転写ロール９４が配置されており、感光体ドラム１２上のトナー像が転写ロール９４によって中間転写ベルト９２上に転写される。
【００６３】
また、感光体ドラム１２よりも中間転写ベルト９２の移動方向下流側には、中間転写ベルト９２を挟んでバックアップロール９６Ｂと対向する位置に転写ロール９８が配置されている。そして、記録用紙Ｐが中間転写ベルト９２と転写ロール９８との間に搬送され、中間転写ベルト９２上のトナー像が転写ロール９８によって記録用紙Ｐ上に転写される。
【００６４】
転写ロール９８よりも中間転写ベルト９２の移動方向下流側には、クリーニング装置１００が配設されている。クリーニング装置１００には、中間転写ベルト９２に接触するクリーニングブレード１０２が配置されており、転写後の中間転写ベルト９２表面の残留トナーが除去される。
【００６５】
また、帯電ロール１４と転写ロール９４は、図２に示す移動機構５３と同様の移動機構（図示省略）によって、感光体ドラム１２に接触又は離間（図４中の二点鎖線参照）が可能となっている。また、感光体ドラム１２は、図２に示す位置変更機構４３と同様の位置変更機構（図示省略）によって、軸方向（ラテラル方向）に移動可能となっている。
【００６６】
次に、この画像形成装置９０の作用について説明する。
【００６７】
この画像形成装置９０は、画像形成時には、帯電ロール１４が感光体ドラム１２に接触している。そして、感光体ドラム１２が帯電ロール１４によって一様に帯電され、光走査装置１６によって感光体ドラム１２上にシアン像に対応するレーザビームが照射され、感光体ドラム１２に静電潜像が形成される。この静電潜像はシアントナーを収容する現像装置１８Ｃで現像され、感光体ドラム１２上にシアントナー像が形成される。このシアントナー像は転写ロール９４の作用によって中間転写ベルト９２に転写される。このとき、中間転写ベルト９２の移動方向下流側では、図示しない移動機構によって、転写ロール９８及びクリーニング装置１００が中間転写ベルト９２から離間されている。
【００６８】
同様に、感光体ドラム１２の帯電、露光、マゼンタトナーによる現像を経て、感光体ドラム１２上にマゼンタトナー像が形成され、このマゼンタトナー像が転写ロール９４の作用によって中間転写ベルト９２のシアントナー像に重ね合わせて転写される。さらに、感光体ドラム１２の帯電、露光、イエロートナーによる現像を経て、感光体ドラム１２上のイエロートナー像が中間転写ベルト９２に重ね合わせて転写され、また、感光体ドラム１２の帯電、露光、ブラックトナーによる現像を経て、感光体ドラム１２上のブラックトナー像が中間転写ベルト９２に重ね合わせて転写される。これにより、中間転写ベルト９２上に多色トナー像が重ね合わされる。
【００６９】
この状態で、図示しない移動機構によって、転写ロール９８及びクリーニング装置１００が中間転写ベルト９２に当接される共に、所定のタイミングで記録用紙Ｐが中間転写ベルト９２と転写ロール９８との間に搬送される。そして、中間転写ベルト９２上の多色トナー像が転写ロール９８の作用によって記録用紙Ｐに転写され、図示しない定着装置によってトナー像が定着される。
【００７０】
このような画像形成装置９０では、画像形成動作が所定時間継続させた後、移動機構（図示省略）によって帯電ロール１４を感光体ドラム１２から離間させるとともに、中間転写ベルト９２を挟んで感光体ドラム１２と接触する転写ロール９４を中間転写ベルト１２から離間させる（図４中の二点鎖線参照）。そして、位置変更機構（図示省略）によって感光体ドラム１２を軸方向（ラテラル方向）に移動させる。これにより、クリーニングブレード３２の先端に溜まった付着物が感光体ドラム１２に同一周面で接触し続けることを防止することができ、感光体ドラム１２表面の筋状傷の発生を低減することができる。また、帯電ロール１４を離間させることで、帯電ロール１４と感光体ドラム１２が摺擦することがなく、感光体ドラム１２表面や帯電ロール１４表面の摺擦傷の発生を抑制することができる。さらに、転写ロール９４を中間転写ベルト９２から離間させることで、転写ロール９４が中間転写ベルト９２を感光体ドラム１２に押圧した状態で感光体ドラム１２が軸方向に移動することがなく、感光体ドラム１２と中間転写ベルト９２との摺擦を低減することができる。
【００７１】
次に、本発明の第３実施形態に係る画像形成装置について説明する。
【００７２】
なお、第１実施形態及び第２実施形態と同一の部材には同一の符号を付し、重複した説明は省略する。
【００７３】
図５に示すように、この画像形成装置１１０では、図４に示す中間転写ベルト９２に代えて、矢印方向に回転駆動される中間転写ドラム１１２が配設されている。中間転写ドラム１１２の感光体ドラム１２と反対側には、中間転写ドラム１１２上のトナー像を記録用紙Ｐ上に転写させる転写ロール１１４が配置されている。また、転写ロール１１４よりも中間転写ドラム１１２の回転方向下流側には、クリーニング装置１１６が配設されている。クリーニング装置１１６には、中間転写ドラム１１２に接触するクリーニングブレード１１８が配置されており、転写後の中間転写ドラム１１２表面の残留トナーが除去される。
【００７４】
また、転写ロール１１４は、図２に示す移動機構５３と同様の移動機構（図示省略）によって、中間転写ドラム１１２に接触又は離間（図５中の二点鎖線参照）が可能となっている。また、中間転写ドラム１１２は、図２に示す位置変更機構４３と同様の位置変更機構（図示省略）によって、軸方向（ラテラル方向）に移動可能となっている。
【００７５】
次に、この画像形成装置１１０の作用について説明する。
【００７６】
この画像形成装置１１０では、画像形成動作が所定時間継続させた後、移動機構（図示省略）によって転写ロール１１４を中間転写ドラム１１２から離間させる。そして、位置変更機構（図示省略）によって中間転写ドラム１１２を軸方向（ラテラル方向）に移動させる。
【００７７】
これにより、クリーニングブレード１１８の先端に溜まった付着物が中間転写ドラム１１２に同一周面で接触し続けることが防止され、中間転写ドラム１１２の表面に周方向に筋状傷が発生するのを低減することができる。また、中間転写ドラム１１２の軸方向移動時に転写ロール１１４が離間されているので、転写ロール１１４と中間転写ドラム１１２とが摺擦することがなく、中間転写ドラム１１２表面や転写ロール１１４表面に摺擦傷が発生するのを抑制することができる。また、転写ロール１１４を中間転写ドラム１１２に接触させる際には、図示しないコントローラによって中間転写ドラム１１２と転写ロール１１４の相対移動速度を一致させる。これにより、転写ロール１１４が中間転写ドラム１１２に接触する際に両者が摺擦することがなく、中間転写ドラム１１２表面や転写ロール１１４表面の摺擦傷の発生を抑制することができる。また、付着物の付着ムラ（スリップ跡の汚れムラ）などの発生も回避することができる。
【００７８】
なお、第３実施形態では、感光体ドラム１２が用いられているが、これに代えて、複数の支持ロールによって周回移動する無端状の感光体ベルトを用いた構成にも、同様に本発明を適用できる。
【図面の簡単な説明】
【００７９】
【図１】本発明の第１実施形態に係る画像形成装置を示す概略構成図である。
【図２】本発明の第１実施形態に係る画像形成装置における感光体ドラムを軸方向に移動させる位置変更機構、及び帯電ロールと転写ロールを感光体ドラムと接触、離間させる移動機構を示す斜視図である。
【図３】本発明の第１実施形態に係る画像形成装置における帯電ロール及び転写ロールが感光体ドラムに接触した状態、感光体ドラムから離間した状態を示す側面図である。
【図４】本発明の第２実施形態に係る画像形成装置を示す概略構成図である。
【図５】本発明の第３実施形態に係る画像形成装置を示す概略構成図である。
【符号の説明】
【００８０】
１０   画像形成装置
１２   感光体ドラム
１４   帯電ロール
１６   光走査装置
２０   転写ロール
２２   クリーニング装置
３２   クリーニングブレード
３６   ギア
３８   モータ
４０   ギア
４２   コントローラ（制御手段）
４３   位置変更機構（位置変更手段）
４４   支持部材
４６Ａ ラック
４６   延設部
４８   レール
５０   ピニオン
５２   モータ
５３   移動機構（移動手段）
５４Ａ 延設部
５４   支持部材
６０   モータ
６２   レール
６６   カム
６８   カム
７０   シャフト
７２   モータ
７４Ａ 延設部
７４   支持部材
７８   レール
９０   画像形成装置
９２   中間転写ベルト
９４   転写ロール
９８   転写ロール
１００ クリーニング装置
１０２ クリーニングブレード
１１０ 画像形成装置
１１２ 中間転写ドラム
１１４ 転写ロール
１１６ クリーニング装置
１１８ クリーニングブレード
【図１】
2006267952.tif 000003
【図２】
2006267952.tif 000004
【図３】
2006267952.tif 000005
【図４】
2006267952.tif 000006
【図５】
2006267952.tif 000007